(57)【要約】      （修正有）【課題】折り畳むと、大きさが四分の一となるように四分割された碁盤を簡単に接続・固定し、また分割できるようにし、加えて碁石は重さを軽くしながら従来に近い触感や打音を確保する構造とした携帯用として便利な碁盤セットを提供する。【解決手段】碁盤を四分割して４枚とし、蝶番１６で二枚を結んで碁盤の半分の大きさとなる二つ折りの盤を二組作り、両者を結ぶ四組のスライドケース状の構造の中で「継ぎ板」をスライドさせて二組を接続し、「継ぎ板」一組に対して盤の異なる二箇所を「継ぎ板」留め具によって固定することで本来の蝶番で繋がれた二つ折り碁盤と同じ形状・構造となることを特徴とする携帯用として便利な碁盤セット（碁盤・碁石）の四つ割碁盤、及び碁石の断面を中心部、周辺部、表層部の３断面構造として、それぞれに比重の高いもの、比重の低いもの、触感・打音に満足できるものを材料として用い、従来の大きさと同じでも軽くなり、触感や打音に配慮された碁石となる構造を特徴とした碁石。【選択図】図２−１
0003195521.tif 000002
【実用新案登録請求の範囲】
【請求項１】
碁盤を四分割して４枚とし、蝶番で二枚を結んで碁盤の半分の大きさとなる二つ折りの盤を二組作り、両者を結ぶ四組のスライドケース状の構造の中で「継ぎ板」をスライドさせて二組を接続し、「継ぎ板」一組に対して盤の異なる二箇所を「継ぎ板」留め具によって固定することで本来の蝶番で繋がれた二つ折り碁盤と同じ形状・構造とする。
【請求項２】
蝶番は四分割盤を結び折りたためるようにすると共に、蝶番そのものを簡単に取り付け・取り外して四分割盤に分離できるようにボルト・ナットにより締め付け固定できるよう、碁盤にナットを埋め込む構造とする。
【請求項３】
碁石の断面を中心部、周辺部、表層部の３断面構造として、それぞれに比重の高いもの、比重の低いもの、触感・打音に満足できるものを材料として用い、従来の大きさと同じでも軽くなり、触感や打音に配慮された碁石となる構造とする。
【考案の詳細な説明】
【技術分野】
【０００１】  囲碁は歴史的背景もあり、ゲームの中でも高尚なものとして見られているが碁盤・碁石は大きくて、重いので携帯して利用するには難点となっている。
碁石は指先に合う大きさであり、それに対応して碁盤の大きさが定まってくるものであり、本案は四分割された碁盤を簡単に組み立てて本来の大きさにする碁盤の形状・構造と碁石を軽くする構造に関するものである。
【技術背景】
【０００２】  携帯用としては二つ折り碁盤、小型化碁盤、磁石付き碁盤、布又は皮等のたためる碁盤、電子碁盤等が実用化されている。しかし、持ち運ぶのには大きい、小さくて使い難い、碁石を使わないのは面白くない等の不満があり、本来の碁盤と同じと云える携帯用の碁盤が望まれている。
【考案の概要】
【考案が解決しようとする課題】
【０００３】  本来の碁盤の大きさは定まっており、これを携帯用とするには、持ち運びに便利に、小さく軽くすることが求められる。軽くするには材質を選択するのみでも良いが碁盤の小型化には分割を増やして繋いで本来の大きさとする方法があり、普通は二つ折りの碁盤が実用化されている。
本案では折り畳むと、大きさが四分の一となるように四分割された碁盤を簡単に接続・固定し、また分割できるように形状・構造を考案したものであり、加えて碁石は重さを軽くしながら従来に近い触感や打音を確保する構造を考案したものである。
【課題を解決するための手段】
【０００４】  本来の碁盤は大きさが定まっているので、持ち運びに便利なように分割して、これを繋ぎ合わせて本来の大きさとし、軽くすることが望まれる。材料の選択で軽くはなるが、携帯用碁盤としては二つ折り碁盤が汎用されている。
本案では碁盤を四分割したものを簡単に接続・固定して一体化し、本来の大きさとすることができる碁盤の形状・構造と碁石は断面を３断面構成として各断面に用いる材料を選択し、重量、触感、打音を満足させる構造を考案したものである。
【考案の効果】
【０００５】１．収納時の碁盤の大きさは１／４となり、また碁石の重量も軽くなるので碁盤・碁石セットの持ち運びが便利となる。
２．碁盤は中心に対し点対称であるので、四分割された碁盤の裏側の形状・構造も、Ａ盤（Ｄ盤）、Ｂ盤（Ｃ盤）を二組ずつ接いでいくだけとなる。
３．盤を繋ぐのに道具を使う必要なく、手先だけで操作ができるので容易で便利である。
４．形状が点対称なので単純化し製作工程を減らすと共に、操作を容易にする。
５．碁盤の大部分は使用する材料により合成樹脂の成型法や３Ｄプリンターによっても製作できる。
６．盤面表面を液晶パネル構造にして、碁盤をカラフルに変化させるようにもできる。碁石の色も変えて碁盤と碁石の組合せも楽しめる。
７．碁盤・碁石セットは小型で軽く、持ち運びに便利となるので、各人が碁盤を持ち込むことで大会などを容易に開催できる。
８．詰碁の独習には四分割した盤を利用すれば便利である。
９．電子碁盤化し「指し棒」により打石できる形態とすれば、碁石が不要で碁盤だけとなり、何処でも通常の碁盤の大きさで打てることになる。
１０．対戦時には碁石入れは蓋を容器に噛ませて重ね、広く場所を取らないようにする。
【図面の簡単な説明】
【０００６】
【図１】碁盤表側の平面図と断面図
【図１−１】平面図
【図１−２】横断面図
【図２】碁盤裏側の形状と横断面図
【図２−１】平面図
【図２−２】横断面図
【図３】四分割された各盤裏側の形状・構造を示す図面
【図３−１】Ａ盤平面図
【図３−２】Ｂ盤平面図
【図３−３】Ｃ盤平面図（Ｂ盤と同じ）
【図３−４】Ｄ盤平面図（Ａ盤と同じ）
【図３−５】蝶番取付け部の形状・構造
【図３−５−１】平面図
【図３−５−２】断面図
【図４】Ａ盤（Ｄ盤）Ｃ盤（Ｂ盤）の裏側の形状・構造図を拡大したもの
【図４−１】Ａ盤の裏側平面図
【図４−２】Ｃ盤の裏側平面図
【図５】各部材の形状・断面図
【図５−１−１】「継ぎ板」の平面図
【図５−１−２】「継ぎ板」の縦断面図
【図５−１−３】「継ぎ板」の横断面図
【図５−２−１】「継ぎ板」留め具の平面図
【図５−２−２】「継ぎ板」留め具の縦断面図
【図５−２−３】「継ぎ板」留め具の横断面図
【図６】碁石の断面図
【考案を実施するための形態】
【０００７】  本案の碁盤は図３のように四分割したＡ盤、Ｂ盤、Ｃ盤（Ｂ盤と同じ）、Ｄ盤（Ａ盤と同じ）の二個ずつを図３−５で示すように、ボルトで締める蝶番で結んで折りたためるＡ−Ｂ盤、Ｃ−Ｄ盤の二組とし、次にこのＡ−Ｂ盤とＣ−Ｄ盤の二組を図２−１のように１．「継ぎ板」により接続・固定することで蝶番で折りたためる従来の二つ折り碁盤の形状・構造となる。
このＡ−Ｂ盤とＣ−Ｄ盤の二組の接続・固定には図２のように「継ぎ板」をＡ盤とＣ盤間、及びＢ盤とＤ盤間に二箇所ずつの計四組設置し、「継ぎ板」が収まるスライドケース状の構造の中を「継ぎ板」をスライドさせてＡ−Ｂ盤とＣ−Ｄ盤を接続し、「継ぎ板」に４．「継ぎ板」留め具を差込み、固定させることで一体化する。
「継ぎ板」は曲げ強度の強い材質で図５−１−１のように矩形断面とし、スライドケース状構造にピタリと収まる形状にして“ずれ”や“ぐらつき”を防ぐようにする。そして「継ぎ板」をスライドさせてＡ−Ｂ盤とＣ−Ｄ盤を結び、各盤に二箇所ずつ設けた「継ぎ板」留め具によって“ずれ”ないように固定することで全体が一体化される。
図４で示すように各盤のスライドケース状構造の側面には「継ぎ板」留め具を通す開口部を上下の二箇所に設け、一方では「継ぎ板」は収納時や接続・固定する際に、この開口部に当る場所を凹型にカットしておき、この「継ぎ板」の凹型箇所に凸型の「継ぎ板」留め具がはまり、「継ぎ板」を動かないように固定することで、Ａ−Ｂ盤とＣ−Ｄ盤の二組がしっかりと接続・固定されることで全体が一体化し、従来の二つ折り碁盤の形態となり、蝶番によって開くことで本来の碁盤の大きさとなる。
このように碁盤は四分割されたものが蝶番で接続されたＡ−Ｂ盤とＣ−Ｄ盤の二組となり、この二組を各盤二箇所の四組の「継ぎ板」構造によって「継ぎ板」をスライドさせ、「継ぎ板」留め具で接続・固定して全体を一体化させ、“ずれ”や“ぐらつき”を防ぎ、従来の二つ折り碁盤の形状・構造となる。
使用後は「継ぎ板」をスライドさせて戻し、「継ぎ板」留め具をはめることで「継ぎ板」は固定され、それぞれが二つ折り碁盤のＡ−Ｂ盤とＣ−Ｄ盤の二組となる。そしてＡ−Ｂ盤とＣ−Ｄ盤は蝶番によって折りたたむことで１／４の大きさの二組となる。
碁盤を開いたときに蝶番の回転軸が盤面裏側でと凸状に飛び出るので、碁盤置き場所を傷つけないように嵩上げのための７．突起を碁盤裏面の周囲に配置し碁盤を支える。
また蝶番で結ばれるＡ−Ｂ盤とＣ−Ｄ盤は蝶番を取り外せばＡ盤、Ｂ盤、Ｃ盤Ｄ盤に四分割できるようにして、詰碁の独習を行う際には４人同時に使うこともでき便利となる。その為に１６．蝶番は碁盤に「ネジ」ではなく９．ボルトを差し込んで、碁盤に埋め込まれた８．ナットに固定できるようにして、ボルトを回して蝶番を外せば四分割された盤となり利用できるようになる。
碁石は従来、黒石は石材、白石は貝殻を削って、比重が２．３〜２．７程度の材料で作られているが、本案では碁石の断面を図６のように１３．中心部に比重のおおきいもの、１４．周辺部に比重の小さいもの、１５．表層部に着色と打音の良いものの３断面で構成し、それぞれに合った材料を用いることで、大きさは従来と同じであり、重量が１／２程度に軽くなっても重量感、指先で掴んだ際の触感、碁石を打った際の打音に満足を得られるようにする。
【符号の説明】
【０００８】  １  「継ぎ板」      ４枚
２  「継ぎ板」スライドケース蓋１  （長）      ４個
３  「継ぎ板」スライドケース蓋２  （短）      ４個
４  「継ぎ板」留め具          ８個
５  「継ぎ板」留め具の蓋      ４個
６  ネジ                    ５６個
７  突起                    １６個
８  ナット                  １６個
９  ボルト                  １６個
１０  盤面材                    ４個
１１  マグネット板              ４個
１２  鉄片                      ４個
１３  中心部
１４  周辺部
１５  表層部
【図１】
0003195521.tif 000003
【図１−１】
0003195521.tif 000004
【図１−２】
0003195521.tif 000005
【図２】
0003195521.tif 000006
【図２−１】
0003195521.tif 000007
【図２−２】
0003195521.tif 000008
【図３】
0003195521.tif 000009
【図３−１】
0003195521.tif 000010
【図３−２】
0003195521.tif 000011
【図３−３】
0003195521.tif 000012
【図３−４】
0003195521.tif 000013
【図３−５】
0003195521.tif 000014
【図３−５−１】
0003195521.tif 000015
【図３−５−２】
0003195521.tif 000016
【図４】
0003195521.tif 000017
【図４−１】
0003195521.tif 000018
【図４−２】
0003195521.tif 000019
【図５】
0003195521.tif 000020
【図５−１−１】
0003195521.tif 000021
【図５−１−２】
0003195521.tif 000022
【図５−１−３】
0003195521.tif 000023
【図５−２−１】
0003195521.tif 000024
【図５−２−２】
0003195521.tif 000025
【図５−２−３】
0003195521.tif 000026
【図６】
0003195521.tif 000027
【手続補正書】
【提出日】平成26年10月24日(2014.10.24)
【手続補正１】
【補正対象書類名】実用新案登録請求の範囲
【補正対象項目名】全文
【補正方法】変更
【補正の内容】
【実用新案登録請求の範囲】
【請求項１】
碁盤を四分割して４枚とし、蝶番で二枚を結んで碁盤の半分の大きさとなる二つ折りの盤を二組作り、両者を結ぶ四組のスライドケース状の構造の中で「継ぎ板」をスライドさせて二組を接続し、「継ぎ板」一組に対して盤の異なる二箇所を「継ぎ板」留め具によって固定することで本来の蝶番で繋がれた二つ折り碁盤と同じ形状・構造となることを特徴とする携帯用として便利な碁盤セット（碁盤・碁石）の四つ割碁盤。
【請求項２】
蝶番は四分割盤を結び折りたためるようにすると共に、蝶番そのものを簡単に取り付け・取り外して四分割盤に分離できるようにボルト・ナットにより締め付け固定できるよう、碁盤にナットを埋め込む構造を特徴とする請求項１．記載の携帯用として便利な碁盤セット（碁盤・碁石）の四つ割碁盤。
【請求項３】
碁石の断面を中心部、周辺部、表層部の３断面構造として、それぞれに比重の高いもの、比重の低いもの、触感・打音に満足できるものを材料として用い、従来の大きさと同じでも軽くなり、触感や打音に配慮された碁石となる構造を特徴とする請求項１．記載の携帯用として便利な碁盤セット（碁盤・碁石）の碁石。